(57)【特許請求の範囲】
【請求項１】
排水口２を備えた排水栓１と、
昇降することで該排水口２を開閉する弁部材３と、
弁部材３の昇降を操作する操作部４と、
一端は操作部４に、他端は排水栓１に、それぞれ接続されるチューブ管５と、
チューブ管５を介して操作部４から排水栓１内に挿通され、操作部４に加えられた操作を弁部材３に伝達するレリースワイヤ６と、
軸部８、軸部８の一部に設けた軸部８の他の部分よりも側面方向に対して可撓性を高めた可撓部８ａ、軸部８の一端に備えられた、軸部８よりも硬質な先端部９、軸部８の他端に設けられた、レリースワイヤ６先端と嵌合する嵌合部１０、からなり、施工時に嵌合部１０がレリースワイヤ６先端と嵌合した状態で操作部４からチューブ管５を介して排水栓１まで挿通され、排水口２内に引き上げられるガイド部材７と、
から構成された遠隔操作式排水栓装置。
【請求項２】
上記ガイド部材７を樹脂材により一体に成型すると共に、
先端部９を軸部８より肉厚とすることで軸部８よりも硬質としたことを特徴とする、
請求項１に記載の遠隔操作式排水栓装置。
【請求項３】
上記ガイド部材７の先端部９を軸部８よりも硬質の素材から構成し、
先端部９を軸部８の端部に嵌合させて構成したことを特徴とする、
請求項１に記載の遠隔操作式排水栓装置。
【請求項４】
上記ガイド部材７において、軸部８の一部を中空筒状とすることで側面方向の可撓性を高めて可撓部８ａとしたことを特徴とする、上記請求項１乃至請求項３のいずれか一つに記載の遠隔操作式排水栓装置。
【請求項５】
上記ガイド部材７の先端部９が、軸部８よりも側面方向に突出してなることを特徴とする、上記請求項１乃至請求項４のいずれか一つに記載の遠隔操作式排水栓装置。
【発明の詳細な説明】
【技術分野】
【０００１】
本発明は、遠隔操作式排水栓装置に関し、更に詳しくは、レリースワイヤの先端と嵌合して、その先端を保護しつつ、操作部から排水栓内にレリースワイヤをガイドする、ガイド部材を備えた遠隔操作式排水栓装置関するものである。
【背景技術】
【０００２】
従来より、図１に示したように、浴槽や洗面ボウルなどの槽体の底面に設けられた排水口を、槽体の縁部など排水口から離れた場所に設けられた操作部に操作を加えることで、遠隔操作により開閉する遠隔操作式排水栓装置が知られている。以下に従来の遠隔操作式排水栓装置の一例を、図面を参照しつつ説明する。
従来の遠隔操作式排水栓装置は、以下に記載する、槽体としての浴槽と、排水栓本体、継手部材、弁部材、レリースワイヤ、操作部、及びチューブ管等から構成される。
浴槽は、上方が開口した箱体であって、開口周縁と底部とに取付孔を開口する。
排水栓本体は、内部に排水口を形成した円筒状の部材であって、排水口内部にレリースワイヤのアウターチューブ端部を固定した状態で嵌合固定される支持部材を備えてなる。
継手部材は、上記排水栓本体に接続される部材であって、排水を排出する排出口と、側面に突出した接続筒とを備えてなる。
弁部材は、この後に詳述するレリースワイヤの弁軸部と嵌合する、排水口の上部に配置される部材であって、上昇／下降することで、排水口を開口／覆って閉口させる部材である。
レリースワイヤは、四フッ化エチレンなどの樹脂から構成される円筒状のアウターチューブと、アウターチューブ内に進退自在に配置される、コイル状に形成された金属線からなるインナーワイヤと、インナーワイヤをアウターチューブに対して一方向（操作部側）に付勢する戻りスプリングと、排水栓側端部に設けられた、棒状にして弁部材と嵌合する弁軸部と、後述するスラストロック部材と、から構成される。
スラストロック部材は、アウターチューブ端部が接続されるスラストロック本体と、インナーワイヤ端部が当接するスラストロック軸部とから構成され、スラストロック軸部への押し込み操作毎に、スラストロック軸部が突出してインナーワイヤを弁軸部側に突出して固定／固定を解除しインナーワイヤの戻りスプリングの作用により操作部側に後退、を繰り返す部材である。
操作部は、弁部材を遠隔的に操作する部材であって、略円筒状にして、内部にスラストロック本体を固定する操作部本体と、スラストロック軸部の端部に固定されるボタン部材と、から構成される。尚、上記のような構成により、施工完了時においては、レリースワイヤのアウターチューブ端部は、スラストロック本体を介してスイッチ本体に固定される。
チューブ管は、軟質塩ビ材等から構成される長い円筒状の部材であって、一端はスイッチ本体に、他端は継手部材の接続部に、それぞれ固定される。
【０００３】
以上のように構成した従来例の遠隔操作式排水栓装置は、以下のようにして槽体である浴槽に施工・取り付けされる。
まず浴槽の上方の取付孔に操作部本体を取り付ける。
次に、浴槽の底面の取付孔に排水栓本体と継手部材を、排水栓本体と継手部材とで取付孔周縁を挟持するようにして取り付け固定する。これにより、排水栓本体及び継手部材が排水栓として機能する。
更に操作部本体の下端と継手部材の接続部とにチューブ管を嵌め込み固定する。
次いで、図１１に示したように、レリースワイヤを、弁軸部側を先端として、操作部本体から挿入する。更に操作部側からレリースワイヤを押し込み、挿入を続けると、図１２に示したように、レリースワイヤの先端が、チューブ管を通過し、継手部材の内部まで挿通される。
その後、ラジオペンチ等の冶具を利用し、浴槽内部から排水口内部に突出したレリースワイヤ先端を引き上げる。支持部材にアウターチューブ端部を固定した上で、排水栓本体に支持部材を嵌合固定する。
また、この前後で、レリースワイヤ端部のスラストロック本体を操作部本体内部に固定させる。支持部材に対するレリースワイヤの固定作業と、スラストロック本体を操作部本体内部に固定させる作業のいずれが先になるかは、排水口側のレリースワイヤの引き出し量や施工状況により変化する。
最後にインナーワイヤの弁軸部に弁部材を、またスラストロック軸部の端部にボタン部材を、それぞれ嵌合固定させて、遠隔操作式排水栓装置の浴槽への施工・取り付けが完了する。
【０００４】
前記のように取り付けられた遠隔操作式排水栓装置は、以下のように操作することで、遠隔操作により排水口を開閉できる。
まず弁部材が降下し、排水口が閉口している状態とする。この状態において操作部のボタン部材に押し込み操作を加えると、スラストロック軸部がインナーワイヤ側に突出し、それに伴ってインナーワイヤがアウターチューブに対し排水口側へ突出し、弁部材を押し上げて排水口を開口する。この状態にてスラストロック軸部が固定され、排水口の開口状態が維持される。
この状態から再度操作部のボタン部材に押し込み操作を加えると、スラストロック軸部の固定が解除され、弁部材の自重及び戻りスプリングの作用によりインナーワイヤが操作部側に後退し、弁部材が降下して排水口が閉口する。
以後、同様の操作を繰り返すことで、遠隔操作的に、排水口の開口／閉口を行うことができ、開口時には浴槽内の排水を排出することができる。
【０００５】
【特許文献１】特開２００２−８８８５３号
【発明の開示】
【発明が解決しようとする課題】
【０００６】
浴槽など、キャビネットと違い開閉ができない浴槽裏側部分等にレリースワイヤを配置する遠隔操作式排水栓装置や、施工の位置／狭隘な部分が生じる等の理由のため手を差し込みにくい部分が生じる遠隔操作式排水栓装置においては、上記従来例のように、チューブ管を利用し、このチューブ管内にレリースワイヤを挿通するようにした遠隔操作式排水栓装置が、施工やメンテナンスが容易になり好適である。しかしながら上記チューブ管を用いた従来の遠隔操作式排水栓装置には、以下のような課題があった。
課題１．上記遠隔操作式排水栓装置のレリースワイヤは、操作部からチューブ管を介し継手管及び排水栓本体に挿通される。この時、特に操作部とチューブ管、チューブ管と継手管との間には段差が生じ、図１３や図１４に示したように、この段差にレリースワイヤ先端が引っかかって挿通が困難になる場合がある。この挿通作業は基本的にはレリースワイヤを操作部から押し込むか、又は若干引き戻す／回転させるといった作業しか行うことはできず、引っかかりを生じた部分に直接手を加えるなどの作業を行うことはできなかった。レリースワイヤは側面方向に可撓性を備える一方、軸方向には剛性を備えて構成されるため、軸方向に応力が掛かる押し込み操作を強引に行うと、レリースワイヤが破損する場合もある。
課題２．レリースワイヤの先端は、上述のように弁軸部などの硬質の直線部分や、嵌合やネジ接続などの都合により凹凸を備えた硬質部分が多く備えられる。また、レリースワイヤも、側面方向に可撓性を備えているものの、応力が加えられていない状態では直線状になろうとする性質を有しており、単に後方から押し込んだだけでは先端側が屈曲しない場合も多い。このため、チューブ管と継手部材の接続部分においては、レリースワイヤが通過できる幅があっても、凹凸の引っかかりや曲がりの関係などで通過が困難な場合が生じる。特に、上述のように挿通作業は基本的にはレリースワイヤを操作部側から押し引きする／回転させる、程度の方法しか行えないため、レリースワイヤが通過できる幅があっても、事実上レリースワイヤを挿通する事ができない状態が発生する場合がある。
課題３．レリースワイヤが排水栓本体内又は継手部材内に突出し、排水口内より引き上げる際には、通常、上述のようにラジオペンチ等の冶具が利用されるが、この時必要以上に強くレリースワイヤ先端を摘んで先端を破壊してしまう、と言った問題があった。また、通常冶具は金属材からなるため、破損が無くても弁軸部乃至レリースワイヤの表面を傷つけるなどの問題があった。
本発明は上記問題点に鑑み発明されたものであって、チューブ管を採用した遠隔操作式排水栓装置のレリースワイヤの挿通にガイド部材を採用することにより、レリースワイヤの挿通を容易且つ破損することがないように構成したものである。
【課題を解決するための手段】
【０００７】
請求項１に記載の本発明は、排水口２を備えた排水栓１と、昇降することで該排水口２を開閉する弁部材３と、弁部材３の昇降を操作する操作部４と、一端は操作部４に、他端は排水栓１に、それぞれ接続されるチューブ管５と、チューブ管５を介して操作部４から排水栓１内に挿通され、操作部４に加えられた操作を弁部材３に伝達するレリースワイヤ６と、軸部８、軸部８の一部に設けた軸部８の他の部分よりも側面方向に対して可撓性を高めた可撓部８ａ、軸部８の一端に備えられた、軸部８よりも硬質な先端部９、軸部８の他端に設けられた、レリースワイヤ６先端と嵌合する嵌合部１０、からなり、施工時に嵌合部１０がレリースワイヤ６先端と嵌合した状態で操作部４からチューブ管５を介して排水栓１まで挿通され、排水口２内に引き上げられるガイド部材７と、から構成された遠隔操作式排水栓装置である。
【０００８】
請求項２に記載の本発明は、上記ガイド部材７を樹脂材により一体に成型すると共に、先端部９を軸部８より肉厚とすることで軸部８よりも硬質としたことを特徴とする、上記段落０００７に記載の遠隔操作式排水栓装置である。
【０００９】
請求項３に記載の本発明は、上記ガイド部材７の先端部９を軸部８よりも硬質の素材から構成し、先端部９を軸部８の端部に嵌合させて構成したことを特徴とする、上記段落０００７に記載の遠隔操作式排水栓装置である。
【００１０】
請求項４に記載の本発明は、上記ガイド部材７において、軸部８の一部を中空筒状とすることで側面方向の可撓性を高めて可撓部８ａとしたことを特徴とする、上記段落０００７乃至段落０００９のいずれか一つに記載のレリースワイヤである。
【００１１】
請求項５に記載の本発明は、上記ガイド部材７の先端部９が、軸部８よりも側面方向に突出してなることを特徴とする、上記段落０００７乃至段落００１０のいずれか一つに記載のレリースワイヤである。
【発明の効果】
【００１２】
請求項１に記載の本発明では、チューブ管を備えた遠隔操作式排水栓装置のレリースワイヤ先端に、施工時、先端が硬質で、且つ軸部に軸部の他の部分よりも側面方向に可撓性を高めた可撓部を有するガイド部材を嵌合させたため、レリースワイヤを操作部、チューブ管、継手部材及び排水栓本体内に挿通させる際、挿通を容易とすることができる。
また、レリースワイヤ先端に弁軸部のような硬質の直線部分が有っても、その更に先端に取り付けられるガイド部材に可撓部を備えたことにより、挿通の際、レリースワイヤ先端がガイド部材の可撓部により容易に折り曲げることができるようになり、挿通できる幅が有れば、凹凸の引っかかりや曲がりの角度などに関係なく、容易に挿通ができるようになった。
また、排水口から冶具を用いてレリースワイヤを引き上げる際も、ガイド部材を冶具で摘めば良く、レリースワイヤ先端を直接冶具で摘む事が無くなったため、冶具によるレリースワイヤの破損を生じることも無くなった。
請求項２に記載の本発明では、部材を一体に成型することにより、部材の単価を下げ、ガイド部材を容易に提供できるようになった。
請求項３に記載の本発明では、先端部を軸部とは別の部材とすることで、表面を滑らかで摩擦係数の低い素材を洗濯することができ、挿通をより容易とすることができるようになった。
請求項４に記載の本発明では、可撓部の構成の一例を明確にすることができた。
請求項５に記載の本発明では、ガイド部の先端部を軸部よりも側面方向に突出するように構成したことによって、挿通の際、段差部分を乗り越えやすくする事ができ、レリースワイヤの挿通をより一層容易にすることができるようになった。
【図面の簡単な説明】
【００１３】
【図１】施工が完了した遠隔操作式排水栓装置を示す参考図である。
【図２】第一実施例のガイド部材の断面図である。
【図３】ガイド部材をレリースワイヤに嵌合させた状態を示す参考図である。
【図４】ガイド部材が嵌合したレリースワイヤを挿通する手順を示す参考図である。
【図５】第一実施例における、レリースワイヤを挿通する手順を示す参考図である。
【図６】第一実施例における、レリースワイヤを挿通する手順を示す参考図である。
【図７】第一実施例における、レリースワイヤを挿通する手順を示す参考図である。
【図８】第一実施例における、レリースワイヤを挿通する手順を示す参考図である。
【図９】第一実施例における、レリースワイヤを挿通する手順を示す参考図である。
【図１０】第二実施例のガイド部材の断面図である。
【図１１】従来例における、レリースワイヤを挿通する手順を示す参考図である。
【図１２】従来例における、レリースワイヤを挿通する手順を示す参考図である。
【図１３】従来例における、レリースワイヤを挿通する手順を示す参考図である。
【図１４】従来例における、レリースワイヤを挿通する手順を示す参考図である。
【実施例】
【００１４】
以下に、本発明の第一実施例について、図面を参照しつつ説明する。
図１に示した遠隔操作式排水栓装置は、以下に記載する、槽体としての浴槽Ｂと、排水栓本体１ａ、継手部材１ｂ、弁部材３、レリースワイヤ６、操作部４、チューブ管５、及びガイド部材７から構成される。
浴槽Ｂは、上方が開口した箱体であって、開口周縁と底部とに取付孔を開口する。
排水栓本体１ａは、内部に排水口２を形成した円筒状の部材であって、排水口２内部にレリースワイヤ６のアウターチューブ６ａ端部を固定した状態で嵌合固定される支持部材１１を備えてなる。
継手部材１ｂは、上記排水栓本体１ａに接続される部材であって、排水を排出する排出口１２と、側面に突出した接続筒１３とを備えてなる。
弁部材３は、この後に詳述するレリースワイヤ６の弁軸部６ｄと嵌合する、排水口２の上部に配置される部材であって、上昇／下降することで、排水口２を開口／覆って閉口させる部材である。
レリースワイヤ６は、四フッ化エチレンなどの樹脂から構成される円筒状のアウターチューブ６ａと、アウターチューブ６ａ内に進退自在に配置される、コイル状に形成された金属線からなるインナーワイヤ６ｂと、インナーワイヤ６ｂをアウターチューブ６ａに対して一方向（操作部４側）に付勢する戻りスプリング６ｃと、排水栓１側端部に設けられた、棒状にして弁部材３と嵌合する弁軸部６ｄと、後述するスラストロック部材１４と、から構成される。
スラストロック部材１４は、アウターチューブ６ａ端部が接続されるスラストロック本体１４ａと、インナーワイヤ６ｂ端部が当接するスラストロック軸部１４ｂとから構成され、スラストロック軸部１４ｂへの押し込み操作毎に、スラストロック軸部１４ｂが突出してインナーワイヤ６ｂを弁軸部６ｄ側に突出して固定／固定を解除しインナーワイヤ６ｂの戻りスプリング６ｃの作用により操作部４側に後退、を繰り返す部材である。
操作部４は、弁部材３を遠隔的に操作する部材であって、略円筒状にして、内部にスラストロック本体１４ａを固定する操作部本体４ａと、スラストロック軸部１４ｂの端部に固定されるボタン部材４ｂと、から構成される。尚、上記のような構成により、施工完了時においては、レリースワイヤ６のアウターチューブ６ａ端部は、スラストロック本体１４ａを介してスイッチ本体に固定される。
チューブ管５は、軟質塩ビ材等から構成される長い円筒状の部材であって、一端はスイッチ本体に、他端は継手部材１ｂの接続部に、それぞれ固定される。
ガイド部材７は、シリコン樹脂による一体に成型された部材であって、円柱状の軸部８と、軸部８の一部を筒状に中空として側面方向への可撓性を高めた可撓部８ａと、可撓部８ａ側の端部に備えた、レリースワイヤ６先端を包むようにしてレリースワイヤ６のインナーワイヤ６ｂ端部にある弁軸部６ｄと嵌合する嵌合部１０と、軸部８の反対側の端部に備えた、軸部８よりも側面方向に突出して肉厚とすることで可撓部８ａよりも硬質となった先端部９と、から構成される。
尚、先端部９は９０度以上１２０度以下の角を成す円錐形状を備えてなる。
【００１５】
以上のように構成した第一実施例の遠隔操作式排水栓装置は、以下のようにして槽体である浴槽Ｂに施工・取り付けされる。
まず浴槽Ｂの上方の取付孔に操作部本体４ａを取り付ける。
次に、浴槽Ｂの底面の取付孔に排水栓本体１ａと継手部材１ｂを、排水栓本体１ａと継手部材１ｂとで取付孔周縁を挟持するようにして取り付け固定する。これにより、排水栓本体１ａ及び継手部材１ｂが排水栓１として機能する。
更に操作部本体４ａの下端と継手部材１ｂの接続部とにチューブ管５を嵌め込み固定する。
次いで、図３に示したように、レリースワイヤ６の弁軸部６ｄ先端に、ガイド部材７の嵌合部１０を嵌合させ、その上で、図４に示したように、レリースワイヤ６を、ガイド部材７を先端として、操作部本体４ａから挿入する。更に操作部４側からレリースワイヤ６を押し込み、挿入を続けると、図９に示したように、レリースワイヤ６の先端が、チューブ管５を通過し、継手部材１ｂの内部まで挿通される。
この時、操作部本体４ａからチューブ管５、継手部材１ｂの間には、段差部分が生じるが、生じた段差を、図５乃至図７に示したように、可撓部８ａの可撓性等を利用しつつ、ガイド部材７の先端部９の円錐形状が乗り越えることにより、容易に乗り越えることができるようになった。特に本実施例では、ガイド部材７の先端部９が、軸部８よりも側面方向に突出してなるため、その分乗り越えることのできる段差の幅も大きくでき、より挿通作業を容易に行うことができるようになった。
また、狭い部分や、を通過する場合でも、同様に可撓部８ａの可撓性を利用しつつ、ガイド部材７の先端部９の円錐形状を利用して入り込んでゆくために、容易に通過する事ができるようになった。
また、図８に示したように、一旦ガイド部材７が通過してしまえば、その後方に続く弁軸部６ｄなどの硬質な直線部分や、ネジ接続の都合により設けられた凹凸なども、ガイド部材７に案内されて、容易に操作部本体４ａからチューブ管５、継手部材１ｂの間にある段差部分や狭い部分を通過し、ガイド部材７が排水栓本体１ａ内又は継手部材１ｂ内に突出し、排水口２から確認できる位置まで挿通することができる。
この状態から、ラジオペンチ等の冶具を利用し、浴槽Ｂ内部から排水口２内部に突出したガイド部材７の先端部９を引き上げる。更にガイド部材７をレリースワイヤ６の弁軸部６ｄから取り外し、支持部材１１にアウターチューブ６ａ端部を固定した上で、排水栓本体１ａに支持部材１１を嵌合固定する。
この際には、レリースワイヤ６先端の弁軸部６ｄはガイド部材７に保護され、また冶具に直接摘まれることもないため、レリースワイヤ６先端が冶具により破損したり表面が傷つく、といったことが無くなった。
また、この前後で、レリースワイヤ６端部のスラストロック本体１４ａを操作部本体４ａ内部に固定させる。支持部材１１に対するレリースワイヤ６の固定作業と、スラストロック本体１４ａを操作部本体４ａ内部に固定させる作業のいずれが先になるかは、排水口２側のレリースワイヤ６の引き出し量や施工状況により変化する。
最後にインナーワイヤ６ｂの弁軸部６ｄに弁部材３を、またスラストロック軸部１４ｂの端部にボタン部材４ｂを、それぞれ嵌合固定させて遠隔操作式排水栓装置の浴槽Ｂへの施工・取り付けが完了する。
【００１６】
前記のように取り付けられた遠隔操作式排水栓装置は、以下のように操作することで、遠隔操作により排水口２を開閉できる。
まず弁部材３が降下し、排水口２が閉口している状態とする。この状態において操作部４のボタン部材４ｂに押し込み操作を加えると、スラストロック軸部１４ｂがインナーワイヤ６ｂ側に突出し、それに伴ってインナーワイヤ６ｂがアウターチューブ６ａに対し排水口２側へ突出し、弁部材３を押し上げて排水口２を開口する。この状態にてスラストロック軸部１４ｂが固定され、排水口２の開口状態が維持される。
この状態から再度操作部４のボタン部材４ｂに押し込み操作を加えると、スラストロック軸部１４ｂの固定が解除され、弁部材３の自重及び戻りスプリング６ｃの作用によりインナーワイヤ６ｂが操作部４側に後退し、弁部材３が降下して排水口２が閉口する。
以後、同様の操作を繰り返すことで、遠隔操作的に、排水口２の開口／閉口を行うことができ、開口時には浴槽Ｂ内の排水を排出することができる。
【００１７】
次に、本発明の第二実施例について、図面を参照しつつ説明する。
本発明の第二実施例の遠隔操作式排水栓装置は、槽体としての浴槽Ｂと、排水栓本体１ａ、継手部材１ｂ、弁部材３、レリースワイヤ６、操作部４、チューブ管５、及びガイド部材７から構成される。これらの部材の内、以下に記載するガイド部材７以外の部材は、段落００１４に記載した第一実施例の遠隔操作式排水栓装置の各部材と同一である。
図１０に示したガイド部材７は、以下に記載した先端部材１５及び軸部材１６から構成されてなる。
先端部材１５は、硬質にして表面が滑らかな樹脂素材であるアセタール樹脂より構成されてなり、９０度以上１２０度以下の角を成す円錐形状を備えてなる先端部９と、軸部材１６に挿入嵌合する棒状部１５ａと、から構成される。
軸部材１６は、軟質にして表面が一般的なゴムなどと比較して滑らかな樹脂素材であるシリコン樹脂からなり、円筒状にして先端部９の棒状部１５ａが挿入嵌合される円筒部１７と、円筒部１７の端部に備えられた、レリースワイヤ６先端を包むようにしてレリースワイヤ６のインナーワイヤ６ｂ端部にある弁軸部６ｄと嵌合する嵌合部１０と、から構成される。
ガイド部材７として使用する際には、先端部材１５の棒状部１５ａを、軸部材１６の円筒部１７に挿入嵌合させて使用する。この状態においては、軸部材１６の円筒部１７分のうち、棒状部１５ａが挿通されてない部分が側面方向に対して可撓性を備えてなり、可撓部８ａとして機能する。
また、先端部９は軸部８よりも側面方向において突出して構成されてなる。
【００１８】
以上のように構成した第二実施例の遠隔操作式排水栓装置は、段落００１５に記載された第一実施例の遠隔操作式排水栓装置と同様の手順にて施工され、段落００１６に記載された第一実施例の遠隔操作式排水栓装置と同様の方法にて使用する事ができる。
【００１９】
また、上記第二実施例のガイド部材７においては、先端部９と可撓部８ａを別の素材にて構成してなる。第一実施例においては、ガイド部材７全体を弾性のある素材にて構成し、先端部９を肉厚にすることで硬質にしてなるため、先端部９の表面にも若干の弾性が残り、挿通に際してはこの弾性が挿通の障害となる場合がある（全体としては肉厚に構成したことにより可撓部８ａよりも硬質な部分として機能し、挿通の際に必要以上に折れ曲がって挿通作業の障害となることはない）が、上記第二実施例のガイド部材７では、先端部９は可撓部８ａとは異なる硬質な素材により構成されてなるため、先端部９の表面も硬質な素材となり、第一実施例のガイド部材７と比較しても挿通の性能は良好な物となっている。また、表面の滑り性に関しても、第一実施例のガイド部材７では、軟質な素材を使用する必要がある関係上、利用できる素材も限定され、必ずしも表面の滑り性能の良い素材、即ち摩擦係数の低い素材が利用できるとは限らない。他方、本実施例のガイド部材７では、可撓部８ａと先端部９は別素材で構成されるため、必要に応じて、硬質で表面の滑り性能の良い素材、即ち摩擦係数の低い素材を利用する事ができ、この点においても第一実施例のガイド部材７と比較して良好な挿通性能を得ることができる。
【００２０】
本発明の実施例は以上のようであるが本発明は上記実施例に限定される物ではなく、主旨を変更しない範囲において自由に変更が可能である。
例えば、上記実施例では、槽体として浴槽Ｂを採用しているが、本発明はこれに限定される物ではなく、洗面台の洗面ボウルや、流し台のシンク等、他の槽体に本発明の遠隔操作式排水栓装置を採用しても構わない。
また、上記実施例の遠隔操作式排水栓装置では、スラストロック部材１４と戻りスプリング６ｃを使用し、ボタン部材４ｂに押し操作を繰り返すことにより排水口２を開閉する構成としてなるが、スラストロック部材１４と戻りスプリング６ｃを使用し、操作部４のボタン部材４ｂをツマミに換えて、ツマミの押し引きによりインナーワイヤ６ｂを進退させ、弁部材３を昇降させるような構成としても構わない。
【符号の説明】
【００２１】
１      排水栓                １ａ    排水栓本体
１ｂ    継手部材              ２      排水口
３      弁部材                ４      操作部
４ａ    操作部本体            ４ｂ    ボタン部材
５      チューブ管            ６      レリースワイヤ
６ａ    アウターチューブ      ６ｂ    インナーワイヤ
６ｃ    戻りスプリング        ６ｄ    弁軸部
７      ガイド部材            ８      軸部
８ａ    可撓部                ９      先端部
１０    嵌合部                １１    支持部材
１２    排出口                １３    接続筒
１４    スラストロック部材    １４ａ  スラストロック本体
１４ｂ  スラストロック軸部    １５    先端部材
１５ａ  棒状部                １６    軸部材
１７    円筒部                Ｂ      浴槽
【図１】
0005552628.tif 000002
【図２】
0005552628.tif 000003
【図３】
0005552628.tif 000004
【図４】
0005552628.tif 000005
【図５】
0005552628.tif 000006
【図６】
0005552628.tif 000007
【図７】
0005552628.tif 000008
【図８】
0005552628.tif 000009
【図９】
0005552628.tif 000010
【図１０】
0005552628.tif 000011
【図１１】
0005552628.tif 000012
【図１２】
0005552628.tif 000013
【図１３】
0005552628.tif 000014
【図１４】
0005552628.tif 000015